(57)【特許請求の範囲】
【請求項１】
複数の運用系と、
上記各運用系の収容する各対向装置と接続している受信回線を収容し、いずれかの受信回線の接続を選択する受信回線選択手段と、上記受信回線選択手段の選択した受信回線から通常時でのクロックを抽出してクロック同期を行うクロック同期手段とを有する１以上の予備系と、
切替事象発生時に、上記受信回線選択手段に対して切替先回線の選択指示を行う冗長切替制御手段と
を備え、
上記切替事象が事前判別可能事象である場合、
上記各予備系が、上記クロック同期の完了後に、上記冗長切替制御手段に対してクロック同期完了通知を行うクロック同期完了通知手段をさらに有し、
上記冗長切替制御手段が、上記クロック同期完了通知を受けた後に、切替元運用系で処理する処理データを上記予備系に設定させるものである
ことを特徴とする冗長切替制御システム。
【請求項２】
上記切替事象が事後判別可能事象である場合、上記冗長切替制御手段が、切替事象判別後即時に、切替元運用系で処理する処理データを上記予備系に設定させるものであることを特徴とする請求項１に記載の冗長切替制御システム。
【請求項３】
複数の運用系と、受信回線選択手段とクロック獲得手段とを有する１以上の予備系と、冗長切替制御手段とを備える冗長システムでの冗長切替制御方法であって、
上記受信回線選択手段が、上記各運用系の収容する各対向装置と接続している受信回線を収容し、いずれかの受信回線の接続を選択する受信回線選択工程と、
上記クロック獲得手段が、上記受信回線選択手段の選択した受信回線から通常時でのクロックを抽出してクロック同期を行うクロック同期工程と、
上記冗長制御手段が、切替事象発生時に、上記受信回線選択手段に対して切替先回線の選択指示を行う冗長切替制御工程と
を有し、
上記切替事象が事前判別可能事象である場合、
上記各予備系がクロック同期完了通知手段を更に有し、上記クロック同期完了通知手段が、上記クロック同期の完了後に、上記冗長切替制御手段に対してクロック同期完了通知を行うクロック同期完了通知工程をさらに有し、
上記冗長切替制御手段が、上記クロック同期完了通知を受けた後に、切替元運用系で処理する処理データを上記予備系に設定させる
ことを特徴とする冗長切替制御方法。
【請求項４】
複数の運用系と１以上の予備系とを備える冗長システムでの冗長切替制御プログラムであって、
コンピュータを、
上記各運用系の収容する各対向装置と接続している受信回線を収容し、いずれかの受信回線の接続を選択する受信回線選択手段、
上記受信回線選択手段の選択した受信回線から通常時でのクロックを抽出してクロック同期を行うクロック同期手段、
切替事象発生時に、上記受信回線選択手段に対して切替先回線の選択指示を行う冗長切替制御手段、
上記切替事象が事前判別可能事象である場合、
上記クロック同期の完了後に、上記冗長切替制御手段に対してクロック同期完了通知を行うクロック同期完了通知手段、
上記冗長切替制御手段が、上記クロック同期完了通知を受けた後に、切替元運用系で処理する処理データを上記予備系に設定させるもの
として機能させることを特徴とする冗長制御プログラム。
【発明の詳細な説明】
【技術分野】
【０００１】
本発明は、冗長切替制御システム、方法及びプログラムに関し、例えば、冗長構成をとる通信装置の切り替えシステム、方法及びプログラムに適用し得るものである。
【背景技術】
【０００２】
近年のネットワークシステムが広く浸透に伴い、システムの冗長化が重要である。従来、冗長化されたメディアゲートウェイ装置の切り替えについては、切り替え時間を極力短くすることが望まれており、それを実現する技術として、特許文献１に記載の技術がある。
【０００３】
例えば、特許文献１には、特許文献１の図２に示すように、ＴＤＭ（Time  Division  Multiplexing）処理部が、メディアゲートウェイ部に収容されており、このメディアゲートウェイ部を切り替える技術が記載されている。また、このメディアゲートウェイ部は、Ｎ＋１構成を取ることが記載されている。
【０００４】
また、一般的にＴＤＭ回線はクロック同期しているものであるから、当該装置と対向装置との間はクロックが同期している。このクロック同期方法としては、網同期用の外部クロックを当該装置に入力するか、若しくは、ＴＤＭ回線から自装置用のクロックを抽出する方法が適用される。
【０００５】
【特許文献１】特開２００５−５７４６１号公報
【発明の開示】
【発明が解決しようとする課題】
【０００６】
ところで、上述した特許文献１に記載のＮ＋１構成の冗長化システムにおいて、メディアゲートウェイ装置がＴＤＭ回線からクロックを抽出する方法を適用する場合、次のような問題が生じるおそれがある。
【０００７】
Ｎ＋１構成において、あるメディアゲートウェイ部の切り替えが行われると、他の全ての運用系のメディアゲートウェイ部についても、ＴＤＭ回線からクロックの再抽出及び再度のクロック同期処理を行う必要がある。
【０００８】
これは、Ｎ個の運用系と１個の予備系とからなるＮ＋１構成では、系の切り替え対象とする運用系が、どのＴＤＭ回線に接続しているか事前に決定されていないからである。
【０００９】
ここで、クロック同期方法としては、一般にＰＬＬ（Phase−Locked  Loop）回路等を使用するが、ＴＤＭ回線からクロックを再同期するまでに、通常数秒以上の時間を要してしまう。そのため、この場合、メディアゲートウェイの送信回線クロックと対応装置が動作しているクロックとの間に数秒間のクロック同期外れが発生してしまうことがある。
【００１０】
このようなクロック同期外れが生じてしまうと、対向装置が継続的に障害を検出してしまい、ケースによっては、障害検出に伴い対向装置が障害検出回線を閉鎖したり、呼を切断したりしてしまうおそれがある。また、クロック同期外れにより、音声及びデータにノイズが発生し、エンドユーザに直接影響を与えてしまうおそれもある。
【００１１】
そのため、Ｎ＋１冗長構成において、切替事象発生時に、それまでの運用系の用いていたクロックを予備系に対して迅速に同期させ、対向装置との間でクロック同期外れを回避することができる冗長システム、切替システムが求められている。
【課題を解決するための手段】
【００１２】
かかる課題を解決するために、第１の本発明の冗長切替制御システムは、（１）複数の運用系と、（２）各運用系の収容する各対向装置と接続している受信回線を収容し、いずれかの受信回線の接続を選択する受信回線選択手段と、受信回線選択手段の選択した受信回線から通常時でのクロックを抽出してクロック同期を行うクロック同期手段とを有する１以上の予備系と、（３）切替事象発生時に、受信回線選択手段に対して切替先回線の選択指示を行う冗長切替制御手段とを備え、切替事象が事前判別可能事象である場合、各予備系が、クロック同期の完了後に、冗長切替制御手段に対してクロック同期完了通知を行うクロック同期完了通知手段をさらに有し、冗長切替制御手段が、クロック同期完了通知を受けた後に、切替元運用系で処理する処理データを予備系に設定させるものであることを特徴とする。
【００１３】
第２の本発明の冗長切替制御方法は、複数の運用系と、受信回線選択手段とクロック獲得手段とを有する１以上の予備系と、冗長切替制御手段とを備える冗長システムでの冗長切替制御方法であって、（１）受信回線選択手段が、各運用系の収容する各対向装置と接続している受信回線を収容し、いずれかの受信回線の接続を選択する受信回線選択工程と、（２）クロック獲得手段が、受信回線選択手段の選択した受信回線から通常時でのクロックを抽出してクロック同期を行うクロック同期工程と、（３）冗長制御手段が、切替事象発生時に、受信回線選択手段に対して切替先回線の選択指示を行う冗長切替制御工程とを有し、切替事象が事前判別可能事象である場合、各予備系がクロック同期完了通知手段を更に有し、クロック同期完了通知手段が、クロック同期の完了後に、冗長切替制御手段に対してクロック同期完了通知を行うクロック同期完了通知工程をさらに有し、冗長切替制御手段が、クロック同期完了通知を受けた後に、切替元運用系で処理する処理データを予備系に設定させることを特徴とする。
【００１４】
第３の本発明の冗長切替制御プログラムは、複数の運用系と１以上の予備系とを備える冗長システムでの冗長切替制御プログラムであって、コンピュータを、（１）各運用系の収容する各対向装置と接続している受信回線を収容し、いずれかの受信回線の接続を選択する受信回線選択手段、（２）受信回線選択手段の選択した受信回線から通常時でのクロックを抽出してクロック同期を行うクロック同期手段、（３）切替事象発生時に、受信回線選択手段に対して切替先回線の選択指示を行う冗長切替制御手段、切替事象が事前判別可能事象である場合、クロック同期の完了後に、冗長切替制御手段に対してクロック同期完了通知を行うクロック同期完了通知手段、冗長切替制御手段が、クロック同期完了通知を受けた後に、切替元運用系で処理する処理データを上記予備系に設定させるもの
として機能させることを特徴とする。
【発明の効果】
【００１５】
本発明によれば、冗長構成において、切替事象発生時に、それまでの運用系の用いていたクロックを予備系に対して迅速に同期させ、対向装置との間でクロック同期外れを回避することができる。
【発明を実施するための最良の形態】
【００１６】
（Ａ）第１の実施形態
以下では、本発明の冗長切替制御システム、方法及びプログラムの第１の実施形態を図面を参照しながら詳細に説明する。
【００１７】
第１の実施形態では、Ｎ（Ｎは１以上の正の整数）個の運用系のメディアゲートウェイ装置と、１個の予備系のメディアゲートウェイ装置とからなる冗長システムに、本発明を適用する場合を例示して説明する。
【００１８】
なお、Ｎ＋Ｍ（Ｍは２以上の正の整数）冗長構成の場合にも、第１の実施形態と同様の機能を適用することができる。また、以下で説明するシステムでは、音声、画像データ、映像データ、通常データ等を通信するネットワークにおいて適用できるものである。
【００１９】
（Ａ−１）第１の実施形態の構成
図１は、第１の実施形態の冗長システムの構成を示す全体構成図である。図１において、第１の実施形態の冗長システム１０は、３個のメディアゲートウェイ（ＭＧＷ：Media  Gateway）部１０１〜１０３、コントローラ部１７１、ＴＤＭスイッチ装置１８１を少なくとも有して構成されるものである。
【００２０】
図１に示す冗長システム１０は、例えば、ＩＰネットワーク及び電話網（例えばＰＳＴＮ網）に接続し、ＩＰネットワークと電話網との間の中継処理を行うゲートウェイ装置の冗長システムに適用する。
【００２１】
図１には、図示しないが、電話網上には複数の電話機が存在しており、ＩＰネットワーク上には、端末（例えばＰＣ等）、ＩＰ電話機（いわゆるソフトフォンを含む）が存在する。また、ＩＰネットワークについては、ＩＰ（インターネットプロトコル）を適用する場合を例示するが通信プロトコルは特に限定されることはなく、有線回線、無線回線のいずれにも適用できる。
【００２２】
メディアゲートウェイ部１０１〜１０３は、例えばＩＰネットワークと接続し、対向装置１、２との間の音声通話などの中継処理を行うものである。
【００２３】
また、メディアゲートウェイ部１０１〜１０３は、コントローラ部１７１からの系切替制御により、自装置を運用系又は待機系のいずれかに系切替を行うものである。なお、系切替に関する技術については、特に限定されるものではないので、ここでの詳細な説明は省略するものとする。
【００２４】
図１では、２個のメディアゲートウェイ部１０１及び１０２が運用系として機能し、１個のメディアゲートウェイ部１０３が予備系として機能するものとする。
【００２５】
なお、以降、運用系のメディアゲートウェイ部１０１及び１０２の表記について、説明便宜上、メディアゲートウェイ部１０ｘ（ｘ＝１又は２）とも示す。また、運用系のメディアゲートウェイ部１０１及び１０２が有する各構成要件についても同様の表記方法を用いる。
【００２６】
図１に示すように、メディアゲートウェイ部１０１〜１０３は、ＩＰＩＦ（ＩＰインタフェース）部１１１〜１１３、ＶｏＩＰ部１２１〜１２３、ＴＤＭ処理部１３１〜１３３、受信回線選択部Ｒ１４１〜Ｒ１４３を少なくとも有して構成される。
【００２７】
ＩＰＩＦ部１１１〜１１３は、ＩＰネットワーク（例えば、イーサネット（登録商標）等）と接続するインタフェースであり、ＩＰパケットを送受信するものである。
【００２８】
ＶｏＩＰ部１２１〜１２３は、ＴＤＭ音声とＶｏＩＰ音声との間の相互変換処理を行うコーデック機能を有するものである。コーデック機能によるコーデックは種々の方式に対応することができ、例えば、Ｇ．７１１、Ｇ．７２９等を対応可能であり、例えば、ＩＰネットワークを通じて受信したＲＴＰパケットを音声信号に変換して対向装置に向けて送信したり、逆に電話網から受信した音声信号をＲＴＰパケットに変換してＩＰネットワークに向けて送信したりする。
【００２９】
受信回線選択部Ｒ１４１〜Ｒ１４３は、ＴＤＭスイッチ部１８１を介して、受信回線（ＴＤＭ回線）を収容するものである。
【００３０】
ここで、運用系の受信回線選択部Ｒ１４ｘは、対向装置を収容する１つの受信回線を接続するが、予備系の受信回線選択部Ｒ１４３は、運用系のメディアゲートウェイ部１０ｘが接続する受信回線の双方を接続可能なものとする。
【００３１】
また、予備系の受信回線選択部Ｒ１４３は、運用系の対向装置に接続している複数の回線のうち、いずれかの回線と接続しているものである。
【００３２】
ＴＤＭ処理部１３１〜１３３は、メディアゲートウェイ部１０１〜１０３の複数の収容回線からの音声信号を時分割多重化して電話網に送信したり、逆に電話網からの受信回線から受信した時分割多重信号を分離した音声信号をＶｏＩＰ部１２１〜１２３に与えたりするものである。
【００３３】
また、ＴＤＭ処理部１３１〜１３３はそれぞれ、クロック同期制御部１９１ａ〜１９３ａと、クロック同期完了通知部１９１ｂ〜１９３ｂとを有する。
【００３４】
クロック同期制御部１９１ａ〜１９３ａは、受信回線選択部Ｒ１４１〜Ｒ１４３を介して接続する受信回線（ＴＤＭ回線）からクロックを抽出してクロック同期を行うものである。クロック同期制御部１９１ａ〜１９３ａは、例えばＰＬＬ回路を有するものを適用できる。これにより、各メディアゲートウェイ部１０１〜１０３は、獲得したクロックを用いて、音声信号の送受信について同期させることができる。
【００３５】
また、予備系のクロック同期制御部１９３ａは、通常状態において、運用系の対向装置と接続している全ての受信回線を接続可能であり、これらの受信回線のうちいずれかの受信回線からクロックを抽出し、この受信回線についてクロックに同期させることができる。これにより、切替前の通常状態においていずれかの運用系のＴＤＭ回線のクロックに同期させておくことができるから、従来生じていた切替時のクロック同期外れを回避することができる。
【００３６】
なお、クロック同期方式については、特に限定されるものではなく、種々の方式を取ることができるが、例えば、ＴＤＭ回線から抽出したクロック信号の周波数に等しく、位相が同期した信号を生成することで実現できる。
【００３７】
クロック同期完了通知部１９１ｂ〜１９３ｂは、予備系において、コントローラ部１７１から指示された切替先回線のクロックを抽出してクロック同期が完了した後に、クロック同期完了の旨をコントローラ部１７１に通知するものである。
【００３８】
ＴＤＭスイッチ部１８１は、例えば電話網に接続するものであり、運用系の各メディアゲートウェイ部１０１〜１０３と、それぞれの対向装置との間の中継処理を行うものである。ＴＤＭスイッチ部１８１のスイッチング方法は、既存のスイッチング技術を広く適用することができるので、ここでの詳細な説明は省略する。
【００３９】
また、ＴＤＭスイッチ部１８１は、各対向装置に対して送信回線選択部Ｓ１６１及びＳ１６２を有する。
【００４０】
ここで、各送信回線選択部Ｓ１６１及びＳ１６２は、運用系のメディアゲートウェイ部１０１及び１０２の送信回線と、予備系のメディアゲートウェイ部１０３の送信回線を入力側に接続し、出力側が対向装置と接続するものである。そして、各送信回線選択部Ｓ１６１及びＳ１６２は、コントローラ部１７１の切替制御に従って、運用系と予備系の送信回線の切り替えを行うものである。
【００４１】
具体的に、例えば、メディアゲートウェイ部１０１の対向装置１と接続する送信回線選択部Ｓ１６１は、入力側において、当該運用系のメディアゲートウェイ部１０１の送信回線と、予備系のメディアゲートウェイ部１０３の送信回線とを対として予め接続されており、コントローラ部１７１の制御により、運用系の送信回線又は予備系の送信回線を切り替える。これにより、コントローラ部１７１の制御に基づく系切替時に、運用系の送信回線から予備系の送信回線に切り替えることができるから、迅速な引き継ぎができる。
【００４２】
なお、送信回線選択部Ｓ１６２についても、入力側において、運用系のメディアゲートウェイ部１０２の送信回線と、予備系のメディアゲートウェイ部１０３の送信回線とを対として予め接続される。
【００４３】
また、対向装置１からの受信回線については、ＴＤＭスイッチ部１８１を介して、運用系のメディアゲートウェイ部１０１と予備系のメディアゲートウェイ部１０３とに接続する。同様に、対向装置２からの受信回線については、ＴＤＭスイッチ部１８１を介して、運用系のメディアゲートウェイ部１０２と予備系のメディアゲートウェイ部１０３とに接続する。
【００４４】
コントローラ部１７１は、ゲートウェイ装置としての冗長システム１０を制御するものである。
【００４５】
図２は、コントローラ部１７１の主な内部機能を示すブロック図である。図２に示すように、コントローラ部１７１は、送信回線選択制御部２１、受信回路制御部２２、クロック同期状態信号監視部２３、系切替制御部２４を少なくとも有する。
【００４６】
送信回線選択制御部２１は、ＴＤＭスイッチ部１８１の送信回線選択部Ｓ１６１及びＳ１６２に対して、選択する送信回線の切替信号を与えるものである。
【００４７】
受信回線選択制御部２２は、受信回線選択部Ｒ１４１〜１４３に対して、選択する受信回線の切替信号を与えるものである。
【００４８】
クロック同期状態信号監視部２３は、メディアゲートウェイ部１０１〜１０３のＴＤＭ処理部１３１〜１３３によるクロック同期の状態を監視するものである。
【００４９】
系切替制御部２４は、運用系と予備系との系切替を制御するものである。系切替制御部２４は、切替元のメディアゲートウェイ部のＶｏＩＰ部１２１〜１２３の呼情報を、切替先のメディアゲートウェイ部にコピー（設定）するものである。
【００５０】
（Ａ−２）第１の実施形態の動作
次に、第１の実施形態の冗長システム１０における切り替え処理の動作について図面を参照しながら説明する。
【００５１】
図３は、第１の実施形態の冗長システム１０のコントロール部１７１の切り替え処理の動作を示すフローチャートである。
【００５２】
まず、運用系のメディアゲートウェイ部１０１及び１０２による通常状態において、予備系の受信回線選択部Ｒ１４３は、対向装置１の受信回線を選択する（ステップＦ１０１）。なお、第１の実施形態では、受信回線選択部Ｒ１４３が対向装置１の受信回線を選択することを通常状態でのデフォルトとするが、これは一例であり、対向装置２の受信回線としてもよい。
【００５３】
次に、メディアゲートウェイ部１０ｘの切替事象が発生すると（ステップＦ１０２）、コントローラ部１７１は受信回線選択部Ｒ１４３に対して切替信号を送出し、コントローラ部１７１からの切替信号に従って、受信回線選択部Ｒ１４３は切替先の受信回線を選択して切り替える（ステップＦ１０３）。
【００５４】
ここで、切替事象としては、コントロール部１７１からのコマンド等の事前に事象を判別することができる系切替事象（事前判別可能事象ともいう）と、運用系のメディアゲートウェイ部１０ｘの故障に伴うものなど事後的に事象を判別する事象（事後判別可能事象）などがある。
【００５５】
次に、コントロール部１７１は、コマンドによる切り替えであるか否かにより処理が異なる（ステップＦ１０４）。
【００５６】
これは、コマンドによる切替事象の場合、コントロール部１７１が切替対象とするメディアゲートウェイ部１０１〜１０３にコマンドを入力することで、指示どおりの切り替えが同時にできるからである。
【００５７】
これに対して、運用系の故障による切替事象の場合、回線障害が継続してしまうと、対向装置が回線障害（クロック同期外れやクロック同期外れに伴う回線障害）を検出してしまい、呼接続中の呼を切断するケースが生じてしまうおそれがある。そのため、ＭＧＷ部１０ｘの故障に伴う切替の場合は、故障検出後即切替を実施する必要がある。
【００５８】
ステップＦ１０４においてコマンドによる切替事象の場合、コントロール部１７１は、予備系のメディアゲートウェイ部１０３のＴＤＭ処理部１３３による受信回線（ＴＤＭ回線）のクロック同期が終了するまで、クロック同期待ちとなる（ステップＦ１０５、Ｆ１０６）。
【００５９】
このとき、受信回線選択部Ｒ１４３は、通常状態において対向装置１の受信回線を選択しているから、この受信回線のクロックをすでに獲得している。従って、切替元がｘ＝１の場合には、メディアゲートウェイ部１０３への切替に係るクロック再同期に要する時間はゼロとなる。
【００６０】
一方、切替元がｘ＝２の場合、ＴＤＭ処理部Ｒ１４３のクロック同期制御部１９３は、対向装置２の受信回線（ＴＤＭ回線）からクロックを抽出して、クロック再同期を行う。
【００６１】
そして、ＴＤＭ処理部１３３によるクロック同期が完了すると、ＴＤＭ処理部１３３はコントロール部１７１に対して同期完了通知を行う。
【００６２】
これを受けて、コントロール部１７１は、切替元のメディアゲートウェイ部１０１における呼情報を、メディアゲートウェイ部１０３に設定する（ステップＦ１０７）。これにより、系切替直前の呼情報を予備系のメディアゲートウェイ部１０３に受け渡すことができる。
【００６３】
このとき、運用系における呼情報は、コントローラ部１７１を介して、予備系に対して受け渡しされる。つまり、運用系１０ｘ⇔コントローラ部１７１⇔ＭＧＷ部１０３のルートで行われる。
【００６４】
また、上記のように、第１の実施形態では、切替指示後、ＴＤＭ処理部１３３におけるクロック同期が完了してから、呼情報の受け渡しを行うものとする。
【００６５】
そして、呼情報の設定が完了すると、メディアゲートウェイ部１０３は呼情報の使用が可能となり、系切替の準備が完了する。
【００６６】
その後、コントロール部１７１は、ＴＤＭスイッチ部１８１の送信回線選択部Ｓ１６ｘに対して、予備系のメディアゲートウェイ部１０３の送信回線に切り替えよう切替信号を送信する（ステップＦ１０８）。これにより、メディアゲートウェイ部１０３に切り替えることにより、送信側の切替が完了する（ステップＦ１０９）。
【００６７】
この送信側の切替完了時には、すでにメディアゲートウェイ部１０３は対向装置とのクロック同期を完了しているため、対向装置との瞬時のフレーム同期外れは検出されるが、継続的なクロック同期外れを回避することができる。
【００６８】
一方、ステップＦ１０４において、メディアゲートウェイ部１０ｘの故障による切替事象の場合、上述したように、対向装置によるＴＤＭ回線障害検出時間を最小限にすることが望まれるので、障害検出後、迅速な系切替が必要となる。
【００６９】
そこで、コントロール部１７１は、障害検出後即時に、障害検出されたメディアゲートウェイ部１０ｘの対向装置と接続する送信回線選択部Ｓ１６ｘに対して、予備系のメディアゲートウェイ部１０３への切替信号を与え、予備系の送信回線の選択に切り替えさせる（ステップＦ１１０）。
【００７０】
その後、コントロール部１７１は、障害検出されたメディアゲートウェイ部１０ｘの呼情報を、予備系のメディアゲートウェイ部１０３に設定する（ステップＦ１１１）。
【００７１】
ここで、切替元の対向装置と接続するＴＤＭ回線のクロック再同期は、ステップＦ１０３の時点で開始し、呼情報の設定完了前、又は、呼情報の設定完了後に完了する。そのため、ステップＦ１１１での呼情報の設定とクロック同期は並列に行なわれる。
【００７２】
つまり、送信回線選択部Ｓ１６ｘの送信回線の選択切替をしてから、クロック再同期が完了するまでの間は、対向装置によるＴＤＭ回線障害を検出してしまうおそれがある。
【００７３】
しかしながら、ステップＦ１０３においてクロック再同期を行うことで、切替元がメディアゲートウェイ部１０１である場合、メディアゲートウェイ部１０３は、すでに対向装置１と接続する受信回線のクロックを抽出してクロック同期をしており、クロック再同期に係る時間はゼロであるから、瞬時なフレーム同期外れは生じるが、対向装置における継続的なクロック同期外れの検出を回避させることができる。
【００７４】
また、切替元がメディアゲートウェイ部１０１以外の場合も、クロック同期制御部１９３の特性より、通常のクロック同期に要する時間よりも短い時間となるから、クロック同期外れによる影響を小さくすることができる。
【００７５】
一般に、ＴＤＭ回線に接続する対向装置は全て同じクロック周波数のクロックに同期した状態で運用されている。つまり、図１の対向装置１及び対向装置２に接続する受信回線は同じ周波数数のクロックに同期されている。
【００７６】
このとき、メディアゲートウェイ部１０３のＴＤＭ処理部１３３は、ステップＦ１０１のように、通常状態において対向装置１に接続する受信回線のクロックを抽出してクロックに同期している。
【００７７】
従って、対向装置２に接続する受信回線のクロック再同期するときには、対向装置１の受信回線のクロック同期をしているから、通常のクロック同期に要する時間よりも短い時間で、ＴＤＭ処理部１３３はクロック再同期を完了することができる。
【００７８】
そのため、呼情報の設定完了後にＴＤＭ処理部１３３によるクロック同期を行うことは、クロック自走状態の場合（ＴＤＭ処理部１３３に何も入力がなく、同期していない状態で行うクロック同期制御の場合）に比べて、大幅な時間短縮ができる。
【００７９】
（Ａ−３）第１の実施形態の効果
以上のように、第１の実施形態の場合、コマンド切替事象の場合には、対向装置によるクロック同期外れを回避することができる。
【００８０】
また、故障切替など切替事象発生後すぐに回線を切り替える必要がある切替事象の場合には、受信回線選択部１３３が通常状態において選択している回線が切替先回線のときには、すでに切替先回線からのクロックに同期しているから、対向装置によるクロック同期外れを回避することができる。
【００８１】
また、受信回線選択部１３３が通常状態において選択している回線以外の回線を切替先回線とするときにも、通常のクロック再同期に係る時間より短い時間で同期させることができるので、対向装置によるクロック同期外れの時間を短縮することができる。
【００８２】
その結果、対向装置での障害検出時間が瞬時になり、呼の切断などが発生しない。また、音声・データへのノイズも瞬時にすることができるという効果を奏する。
【００８３】
（Ｂ）他の実施形態
（Ｂ−１）第１の実施形態では、メディアゲートウェイ装置としての冗長システムに本発明を適用した場合を例示したが、対向装置と接続する回線からクロックを抽出する装置の冗長システムに広く適用できる。例えば、Ｎ＋１冗長切替機能を有するＳＤＨ装置のシステム、Ｎ＋１冗長切替機能を有するＴＤＭ装置全般のシステム、Ｎ＋１冗長切替機能を有するクロック同期装置全般のシステムに適用可能である。
【図面の簡単な説明】
【００８４】
【図１】第１の実施形態のメディアゲートウェイ装置の冗長システムの構成を示す構成図である。
【図２】第１の実施形態のコントローラ部の主な機能を示すブロック図である。
【図３】第１の実施形態の冗長システムでの切り替え処理を示すフローチャートである。
【符号の説明】
【００８５】
１０…メディアゲートウェイ装置の冗長システム、１０１及び１０２…メディアゲートウェイ部（運用系）、１０３…メディアゲートウェイ部（予備系）、１１１〜１１３…ＩＰＩＦ部、１２１〜１２３…ＶｏＩＰ部、１３１〜１３３…ＴＤＭ処理部、Ｒ１４１〜Ｒ１４３…受信回線選択部、Ｓ１６１及びＳ１６２…送信回線選択部、１７１…コントローラ部、１８１…ＴＤＭスイッチ部、１９１ａ〜１９３ａ…クロック同期制御部、１９１ｂ〜１９３ｂ…クロック同期完了通知部。
【図１】
0005194997.tif 000002
【図２】
0005194997.tif 000003
【図３】
0005194997.tif 000004